(57)【特許請求の範囲】
【請求項１】
複数の原稿を載置可能な載置部と、
排出部と、
前記載置部に載置された１枚以上の原稿を、１枚ずつ前記排出部まで搬送する搬送機構と、
前記搬送機構による原稿の搬送経路に設けられ、当該搬送経路を通過する原稿を読み取る読取部と、
表示部と、
ユーザ操作に基づく信号を受信する入力部と、
制御部と、
を備え、
前記制御部は、
読取指示を示す信号を前記入力部が受信したことに応じて、前記載置部に載置された１枚以上の原稿を前記搬送機構により１枚ずつ前記排出部に向かって搬送するとともに、前記搬送機構により搬送される原稿を前記読取部により読み取る読取処理を実行する実行手段と、
前記載置部に載置されている１枚以上の原稿に対する読取処理が完了した後に継続して実行される読取処理である継続読取処理を、行うか否かを問い合わせる第１画面を、少なくとも前記実行手段による読取処理の実行中に、前記表示部に表示させる第１表示制御手段と、
前記第１表示制御手段により前記第１画面が前記表示部に表示されている間に、継続読取処理を行うことを示す信号を前記入力部が受信したか否かを判断する第１判断手段と、
前記第１判断手段により継続読取処理を行うことを示す信号を前記入力部が受信したと判断された場合に、前記実行手段による読取処理が完了した後に、継続読取処理の開始指示の入力を促す第２画面を、前記表示部に表示させる第２表示制御手段と、
前記第１判断手段により継続読取処理を行うことを示す信号を前記入力部が受信していないと判断された場合に、少なくとも前記実行手段による読取処理が完了した後に、新たな読取処理の指示を示す信号の受付を待機する第３画面を、前記表示部に表示させる第３表示制御手段と、
前記実行手段による読取処理が完了する前に、前記第１判断手段により継続読取処理を行うことを示す信号を前記入力部が受信したと判断された場合は、前記第２画面を前記表示部に表示させる前に、原稿を前記載置部に載置しないように警告する第４画面を、前記表示部に表示させる第４表示制御手段と、
を有することを特徴とする画像読取装置。
【請求項２】
前記第１判断手段は、
継続読取処理を行わないことを示す信号を前記入力部が受信したこと、若しくは、継続読取処理を行わないことを示す信号と継続読取処理を行うことを示す信号との両方の信号を前記入力部が受信しなかったことを条件として、継続読取処理を行うことを示す信号を前記入力部が受信していないと判断することを特徴とする請求項１に記載の画像読取装置。
【請求項３】
前記制御部は、
前記第１表示制御手段により前記第１画面が前記表示部に表示されてから、予め設定された設定時間経過したか否かを判断する第２判断手段を有し、
前記第１判断手段は、
継続読取処理を行わないことを示す信号と継続読取処理を行うことを示す信号との両方の信号を前記入力部が受信していない状態で、前記実行手段による読取処理が完了し、かつ、前記第２判断手段により前記第１画面が前記表示部に表示されてから設定時間経過したと判断されたことを条件として、継続読取処理を行うことを示す信号を前記入力部が受信していないと判断することを特徴とする請求項１または請求項２に記載の画像読取装置。
【請求項４】
前記第３表示制御手段は、
前記第１判断手段により継続読取処理を行うことを示す信号を前記入力部が受信していないと判断された場合に、前記実行手段による読取処理が完了したことを条件として、前記第３画面を前記表示部に表示させることを特徴とする請求項１乃至３の何れか１項に記載の画像読取装置。
【請求項５】
前記制御部は、
前記載置部に載置されていた１枚以上の原稿の全てが、前記読取部によって読み取られた後に、前記排出部に排出されたタイミングで、前記実行手段による読取処理が完了したと判断する第３判断手段を有することを特徴とする請求項１乃至４の何れか１項に記載の画像読取装置。
【請求項６】
前記制御部は、
前記第１判断手段により継続読取処理を行うことを示す信号を前記入力部が受信したと判断された場合に、継続読取処理の設定値を示す信号を前記入力部により受信する受信手段を有することを特徴とする請求項１乃至５の何れか１項に記載の画像読取装置。
【請求項７】
前記制御部は、
前記第１判断手段により継続読取処理を行うことを示す信号を前記入力部が受信したと判断された場合に、当該継続読取処理に先行して実行されている読取処理において設定されている設定値を初期値として含む、継続読取処理の設定値を変更するための第５画面を、前記表示部に表示させる第５表示制御手段を有し、
前記受信手段は、
前記第５画面が初期値として含む設定値から変更された設定値を示す信号を受信することを特徴とする請求項６に記載の画像読取装置。
【請求項８】
複数の原稿を載置可能な載置部と、
排出部と、
前記載置部に載置された１枚以上の原稿を、１枚ずつ前記排出部まで搬送する搬送機構と、
前記搬送機構による原稿の搬送経路に設けられ、当該搬送経路を通過する原稿を読み取る読取部と、
表示部と、
ユーザ操作に基づく信号を受信する入力部と、
制御部と、
を備え、
前記制御部は、  読取指示を示す信号を前記入力部が受信したことに応じて、前記載置部に載置された１枚以上の原稿を前記搬送機構により１枚ずつ前記排出部に向かって搬送するとともに、前記搬送機構により搬送される原稿を前記読取部により読み取る読取処理を実行する実行手段と、
前記載置部に載置されている１枚以上の原稿に対する読取処理が完了した後に継続して実行される読取処理である継続読取処理を、行うか否かを問い合わせる第１画面を、少なくとも前記実行手段による読取処理の実行中に、前記表示部に表示させる第１表示制御手段と、
前記第１表示制御手段により前記第１画面が前記表示部に表示されている間に、継続読取処理を行うことを示す信号を前記入力部が受信したか否かを判断する第１判断手段と、
前記第１判断手段により継続読取処理を行うことを示す信号を前記入力部が受信したと判断された場合に、前記実行手段による読取処理が完了した後に、継続読取処理の開始指示の入力を促す第２画面を、前記表示部に表示させる第２表示制御手段と、
前記第１判断手段により継続読取処理を行うことを示す信号を前記入力部が受信していないと判断された場合に、少なくとも前記実行手段による読取処理が完了した後に、新たな読取処理の選択を示す信号の受付を待機する第６画面を、前記表示部に表示させる第３表示制御手段と、
前記実行手段による読取処理が完了する前に、前記第１判断手段により継続読取処理を行うことを示す信号を前記入力部が受信したと判断された場合は、前記第２画面を前記表示部に表示させる前に、原稿を前記載置部に載置しないように警告する第４画面を、前記表示部に表示させる第４表示制御手段と、
を有することを特徴とする画像読取装置。
【請求項９】
複数の原稿を載置可能な載置部と、排出部と、前記載置部に載置された１枚以上の原稿を、１枚ずつ前記排出部まで搬送する搬送機構と、前記搬送機構による原稿の搬送経路に設けられ、当該搬送経路を通過する原稿を読み取る読取部と、表示部と、ユーザ操作に基づく信号を受信する入力部とを備えた画像読取装置のコンピュータが読み取り可能な制御プログラムであって、
前記制御プログラムを実行すると、コンピュータは、
読取指示を示す信号を前記入力部が受信したことに応じて、
前記載置部に載置された１枚以上の原稿を前記搬送機構により１枚ずつ前記排出部に向かって搬送し、
前記搬送機構により搬送される原稿を前記読取部により読み取り、
前記載置部に載置されている１枚以上の原稿に対する読取処理が完了した後に継続して実行される読取処理である継続読取処理を、行うか否かを問い合わせる第１画面を、読取処理の実行中に、前記表示部に表示させ、
前記第１画面が前記表示部に表示されている間に、継続読取処理を行うことを示す信号を前記入力部が受信したか否かを判断し、
継続読取処理を行うことを示す信号を前記入力部が受信したと判断した場合に、読取処理が完了した後に、継続読取処理の開始指示の入力を促す第２画面を、前記表示部に表示させるが、当該読取処理が完了する前に、継続読取処理を行うことを示す信号を前記入力部が受信したと判断した場合は、前記第２画面を前記表示部に表示させる前に、原稿を前記載置部に載置しないように警告する第４画面を、前記表示部に表示させ、
継続読取処理を行うことを示す信号を前記入力部が受信していないと判断した場合に、読取処理が完了した後に、新たな読取処理の指示を示す信号の受付を待機する第３画面を、前記表示部に表示させる
ことを特徴とする制御プログラム。
【発明の詳細な説明】
【技術分野】
【０００１】
本発明は、載置部に載置された原稿を読み取る画像読取装置、および、画像読取装置のコンピュータが読み取り可能な制御プログラムに関する。
【背景技術】
【０００２】
載置部に載置された原稿を読み取る画像読取装置、つまり、ＡＤＦ（Auto Document Feederの略）機構を備えた画像読取装置では、複数の原稿を載置部に載置することで、それら複数の原稿が、１枚ずつ、ＡＤＦにより搬送され、複数の原稿のスキャン処理が行われる。ただし、載置部には、所定の枚数以下の原稿しかセットできないため、その所定の枚数を超える原稿のスキャン処理を行う場合には、継続スキャンが行われる。継続スキャンとは次のような処理を指す。まず、載置部に載置可能な枚数以下の枚数の原稿を載置部に載せてスキャンを行い、そのスキャンの完了後に、続けて、残りの原稿を載置部に載せてスキャンする。そして、これら２回以上のスキャンにより得られたスキャンデータは一連のデータ、すなわち、一度のスキャンで得られたデータと同等に取り扱われる。このような、継続スキャン処理を実行可能な画像読取装置では、下記特許文献に記載されているように、スキャン処理が実行される前に、継続スキャン処理を実行するか否かの問い合わせが行われる。
【先行技術文献】
【特許文献】
【０００３】
【特許文献１】特開平９−２０５５０６号公報
【発明の概要】
【発明が解決しようとする課題】
【０００４】
しかしながら、上記特許文献に記載されているように、スキャン処理が実行される前に、継続スキャン処理を実行するか否かの問い合わせが行われる場合には、その問い合わせに対する入力を行う必要があり、早急にスキャン処理を実行できず、操作性が悪い。また、スキャン処理後に追加スキャン処理を実行するか否かの問い合わせを行うように構成しても、スキャン処理を実行するか否かの問い合わせに対する入力操作が必要であることには変わりなく、やはり早急にスキャン処理を実行できない。本発明は、そのような事情に鑑みてなされたものであり、本発明の課題は、画像読取装置の操作性の向上を図ることである。
【課題を解決するための手段】
【０００５】
上記課題を解決するために、本発明の画像読取装置は、複数の原稿を載置可能な載置部と、排出部と、前記載置部に載置された１枚以上の原稿を、１枚ずつ前記排出部まで搬送する搬送機構と、前記搬送機構による原稿の搬送経路に設けられ、当該搬送経路を通過する原稿を読み取る読取部と、表示部と、ユーザ操作に基づく信号を受信する入力部と、制御部と、を備え、前記制御部は、読取指示を示す信号を前記入力部が受信したことに応じて、前記載置部に載置された１枚以上の原稿を前記搬送機構により１枚ずつ前記排出部に向かって搬送するとともに、前記搬送機構により搬送される原稿を前記読取部により読み取る読取処理を実行する実行手段と、前記載置部に載置されている１枚以上の原稿に対する読取処理が完了した後に継続して実行される読取処理である継続読取処理を、行うか否かを問い合わせる第１画面を、少なくとも前記実行手段による読取処理の実行中に、前記表示部に表示させる第１表示制御手段と、前記第１表示制御手段により前記第１画面が前記表示部に表示されている間に、継続読取処理を行うことを示す信号を前記入力部が受信したか否かを判断する第１判断手段と、前記第１判断手段により継続読取処理を行うことを示す信号を前記入力部が受信したと判断された場合に、前記実行手段による読取処理が完了した後に、継続読取処理の開始指示の入力を促す第２画面を、前記表示部に表示させる第２表示制御手段と、前記第１判断手段により継続読取処理を行うことを示す信号を前記入力部が受信していないと判断された場合に、少なくとも前記実行手段による読取処理が完了した後に、新たな読取処理の指示を示す信号の受付を待機する第３画面を、前記表示部に表示させる第３表示制御手段と、を有することを特徴とする。
【０００６】
上記課題を解決するために、本発明の画像読取装置は、複数の原稿を載置可能な載置部と、排出部と、前記載置部に載置された１枚以上の原稿を、１枚ずつ前記排出部まで搬送する搬送機構と、前記搬送機構による原稿の搬送経路に設けられ、当該搬送経路を通過する原稿を読み取る読取部と、表示部と、ユーザ操作に基づく信号を受信する入力部と、制御部と、を備え、前記制御部は、読取指示を示す信号を前記入力部が受信したことに応じて、前記載置部に載置された１枚以上の原稿を前記搬送機構により１枚ずつ前記排出部に向かって搬送するとともに、前記搬送機構により搬送される原稿を前記読取部により読み取る読取処理を実行する実行手段と、前記載置部に載置されている１枚以上の原稿に対する読取処理が完了した後に継続して実行される読取処理である継続読取処理を、行うか否かを問い合わせる第１画面を、少なくとも前記実行手段による読取処理の実行中に、前記表示部に表示させる第１表示制御手段と、前記第１表示制御手段により前記第１画面が前記表示部に表示されている間に、継続読取処理を行うことを示す信号を前記入力部が受信したか否かを判断する第１判断手段と、前記第１判断手段により継続読取処理を行うことを示す信号を前記入力部が受信したと判断された場合に、前記実行手段による読取処理が完了した後に、継続読取処理の開始指示の入力を促す第２画面を、前記表示部に表示させる第２表示制御手段と、前記第１判断手段により継続読取処理を行うことを示す信号を前記入力部が受信していないと判断された場合に、少なくとも前記実行手段による読取処理が完了した後に、新たな読取処理の選択を示す信号の受付を待機する第６画面を、前記表示部に表示させる第３表示制御手段と、を有することを特徴とする。
【０００７】
上記課題を解決するために、本発明の制御プログラムは、複数の原稿を載置可能な載置部と、排出部と、前記載置部に載置された１枚以上の原稿を、１枚ずつ前記排出部まで搬送する搬送機構と、前記搬送機構による原稿の搬送経路に設けられ、当該搬送経路を通過する原稿を読み取る読取部と、表示部と、ユーザ操作に基づく信号を受信する入力部とを備えた画像読取装置のコンピュータが読み取り可能な制御プログラムであって、前記制御プログラムを実行すると、コンピュータは、読取指示を示す信号を前記入力部が受信したことに応じて、前記載置部に載置された１枚以上の原稿を前記搬送機構により１枚ずつ前記排出部に向かって搬送し、前記搬送機構により搬送される原稿を前記読取部により読み取り、前記載置部に載置されている１枚以上の原稿に対する読取処理が完了した後に継続して実行される読取処理である継続読取処理を、行うか否かを問い合わせる第１画面を、読取処理の実行中に、前記表示部に表示させ、前記第１画面が前記表示部に表示されている間に、継続読取処理を行うことを示す信号を前記入力部が受信したか否かを判断し、継続読取処理を行うことを示す信号を前記入力部が受信したと判断した場合に、読取処理が完了した後に、継続読取処理の開始指示の入力を促す第２画面を、前記表示部に表示させ、継続読取処理を行うことを示す信号を前記入力部が受信していないと判断した場合に、読取処理が完了した後に、新たな読取処理の指示を示す信号の受付を待機する第３画面を、前記表示部に表示させることを特徴とする。
【発明の効果】
【０００８】
本発明の画像読取装置および、制御プログラムでは、継続スキャンの実行の有無を確認するための画面が、スキャン処理の開始前ではなく、スキャン処理の実行中に表示部に表示される。これにより、ユーザは、素早くスキャン処理を実行することが可能となる。さらに、ユーザは、スキャン処理の待ち時間を利用して、継続スキャンの有無を入力することが可能となる。このように、本発明の画像読取装置および、制御プログラムによれば、画像読取装置の操作性が向上する。
【図面の簡単な説明】
【０００９】
【図１】実施形態のスキャナ１０のブロック図である。
【図２】実施形態のスキャナ１０の内部構造を示す図である。
【図３】スキャン処理選択画面１６０を示す図である。
【図４】読取指示画面１００を示す図である。
【図５】読取中画面１１０を示す図である。
【図６】設定画面１２０を示す図である。
【図７】原稿載置画面１３０を示す図である。
【図８】警告画面１４０を示す図である。
【図９】継続読取指示画面１５０を示す図である。
【図１０】第１実施形態のスキャナ１０の動作フローチャートを示す図である。
【図１１】第１実施形態のスキャナ１０の動作フローチャートを示す図である。
【図１２】第１実施形態のスキャナ１０の動作フローチャートを示す図である。
【図１３】第２実施形態のスキャナ１０の動作フローチャートを示す図である。
【発明を実施するための形態】
【００１０】
図１に、本願に係る第１実施形態として例示される通信システム１のブロック図を示す。通信システム１は、スキャナ（本発明の画像読取装置の一例）１０、ＰＣ（Personal Computerの略）４０を備える。スキャナ１０は、ＣＰＵ（Central Processing Unitの略）（本発明の制御部およびコンピュータの一例）１２、記憶部１４、ディスプレイ（本発明の表示部の一例）１６、入力Ｉ／Ｆ（本発明の入力部の一例）１８、イメージセンサ（本発明の読取部の一例）２０、ＡＤＦ（Auto Document Feederの略）（本発明の搬送機構の一例）２２、第１シートセンサ２４、第２シートセンサ２６、ＵＳＢホストＩ／Ｆ２７、ＵＳＢファンクションＩ／Ｆ２８、ネットワークＩ／Ｆ３０を主に備えている。これらの構成要素は、入出力ポート３２を介して互いに通信可能とされている。
【００１１】
ＣＰＵ１２は、記憶部１４内の制御プログラム（本発明の制御プログラムの一例）３３に従って処理を実行する。制御プログラム３３は、スキャン処理を実行するためプログラムである。なお、制御プログラム３３を実行するＣＰＵ１２のことを、単にプログラム名でも記載する場合がある。例えば、「制御プログラム３３が」という記載は、「制御プログラム３３を実行するＣＰＵ１２が」ということを意味する場合がある。
【００１２】
また、記憶部１４は、データ記憶領域３４を備える。データ記憶領域３４は、制御プログラム３３の実行に必要なデータなどを記憶する領域である。なお、記憶部１４は、ＲＡＭ（Random Access Memoryの略）、ＲＯＭ（Read Only Memoryの略）、フラッシュメモリー、ＨＤＤ（Hard Diskの略）、ＣＰＵ１２が備えるバッファなどが組み合わされて構成されている。
【００１３】
ディスプレイ１６は、スキャナ１０の各種機能を表示する表示面を備える。ディスプレイの一例としては、例えば、ＬＣＤ、有機ＥＬ、プラズマディスプレイ等が挙げられる。入力Ｉ／Ｆ１８は、例えば、ディスプレイ１６と一体的に構成されているタッチパネルであってよく、ディスプレイ１６上に表示されたボタンへのユーザ操作を受け付ける。また、タッチパネル以外にも、ハードキー等であってもよい。
【００１４】
イメージセンサ２０は、画像を読み取るものであり、例えば、ＣＣＤイメージセンサ、コンタクトイメージセンサ等である。ＡＤＦ２２は、給紙トレイ（本発明の載置部の一例）（図２参照）５０にセットされた原稿を、１枚ずつ、イメージセンサ２０による読み取り位置を経由して、排出トレイ（本発明の排出部の一例）（図２参照）６０まで搬送する機構である。第１シートセンサ２４は、給紙トレイ５０に原稿がセットされているか否かを検出するセンサである。第２シートセンサ２６は、スキャナ１０内をＡＤＦ２２によって搬送されている原稿を検出するセンサである。
【００１５】
ＵＳＢホストＩ／Ｆ２７及びＵＳＢファンクションＩ／Ｆ２８は、共にＵＳＢ規格のインターフェースである。ＵＳＢホストＩ／Ｆ２７には、ＵＳＢメモリが着脱可能となっている。ユーザは、ＵＳＢホストＩ／Ｆ２７にＵＳＢメモリを装着することで、ＵＳＢメモリが記憶している画像データを印刷させたり、スキャナ１０によって読み取った画像データをＵＳＢメモリに記憶させたりすることができる。なお、ＵＳＢ規格のインターフェースを有していればハードディスクなど他の記録媒体でも利用可能となっている。ＵＳＢファンクションＩ／Ｆ２８は、ＵＳＢケーブルを介して外部端末（ホストコンピュータ）との間でデータ通信を行うためのものである。
【００１６】
ネットワークＩ／Ｆ３０は、アクセスポイント３５を介して、ルータ３６に接続されており、ルータ３６は、インターネット３７および、ＰＣ４０に接続されている。これにより、スキャナ１０は、ＰＣ４０、若しくは、インターネット３７を介して他の装置と各種データの送受信を行うことが可能である。
【００１７】
また、図２にスキャナ１０の内部構造を示す概略図を示す。スキャナ１０は、給紙トレイ５０、搬送経路５２、排出トレイ６０、イメージセンサ２０、ＡＤＦ２２、第１シートセンサ２４、第２シートセンサ２６を含む。
【００１８】
給紙トレイ５０は、スキャナ１０の装置本体７０の後方側の上部に配設されており、１枚以上の原稿７１をセットすることが可能である。排出トレイ６０は、装置本体７０の前方側に配設されており、スキャン処理の完了した原稿７１が排出される。搬送経路５２は、装置本体７０の内部に形成されており、給紙トレイ５０と排出トレイ６０とを繋ぐ経路である。
【００１９】
ＡＤＦ２２は、給紙トレイ５０にセットされた原稿７１を、１枚ずつ、搬送経路５２を経由して、排出トレイ６０まで搬送する機構であり、第１搬送ローラ７２、第２搬送ローラ７４、従動ローラ７６、第３搬送ローラ７８、従動ローラ８０、第４搬送ローラ８２、従動ローラ８４を有している。
【００２０】
第１搬送ローラ７２は、搬送経路５２の最上流側、つまり、給紙トレイ５０の近傍に配設されており、給紙トレイ５０にセットされた原稿を搬送経路５２の内部に、１枚ずつ分離して引き込む。第２搬送ローラ７４は、搬送経路５２の第１搬送ローラ７２の下流側に配設されており、従動ローラ７６は、第２搬送ローラ７４に圧接された状態で配設されている。そして、第１搬送ローラ７２によって搬送経路５２内に引き込まれた原稿が、第２搬送ローラ７４と従動ローラ７６とによって挟まれた状態で、下流側に搬送される。第３搬送ローラ７８は、搬送経路５２の第２搬送ローラ７４の下流側に配設されており、従動ローラ８０は、第３搬送ローラ７８に圧接された状態で配設されている。そして、第２搬送ローラ７４と従動ローラ７６とによって搬送された原稿が、第３搬送ローラ７８と従動ローラ８０とによって挟まれた状態で、下流側に搬送される。第４搬送ローラ８２は、搬送経路５２の第３搬送ローラ７８の下流側に配設されており、従動ローラ８４は、第４搬送ローラ８２に圧接された状態で配設されている。そして、第３搬送ローラ７８と従動ローラ８０とによって搬送された原稿が、第４搬送ローラ８２と従動ローラ８４とによって挟まれた状態で、下流側に搬送され、排出トレイ６０に排出される。
【００２１】
イメージセンサ２０は、上部ラインセンサ８６と下部ラインセンサ８８とによって構成されている。上部ラインセンサ８６は、従動ローラ８０と従動ローラ８４との間において、搬送経路５２の上方に配設されており、搬送経路５２を搬送される原稿の上面側の画像を読み取る。下部ラインセンサ８８は、第３搬送ローラ７８と第４搬送ローラ８２との間において、搬送経路５２を挟んで上部ラインセンサ８６の反対側、つまり、搬送経路５２の下方に配設されており、搬送経路５２を搬送される原稿の下面側の画像を読み取る。
【００２２】
第１シートセンサ２４は、搬送経路５２の最上流側において、第１搬送ローラ７２と対向するように配設されている。これにより、給紙トレイ５０に原稿がセットされているか否かが、第１シートセンサ２４によって検出される。第２シートセンサ２６は、搬送経路５２において、従動ローラ８０と上部ラインセンサ８６との間に配設されており、第２シートセンサ２６と対向する位置を搬送される原稿を検出する。
【００２３】
＜スキャナ１０によるスキャン処理＞
スキャナ１０では、複数の原稿を給紙トレイ５０にセットすることで、それら複数の原稿が、１枚ずつ、ＡＤＦ２２により搬送され、イメージセンサ２０によって読み取られることで、複数の原稿のスキャン処理が行われる。ただし、給紙トレイ５０には、所定の枚数、例えば、５０枚以下の原稿しかセットできないため、その所定の枚数を超える原稿のスキャン処理を行う場合には、継続スキャンが行われる。継続スキャンとは、例えば、１００枚の原稿のスキャン処理を行う際に、まず、１〜５０枚目の原稿のスキャン処理を実行し、そのスキャン処理が完了した後に、５１〜１００枚目の原稿のスキャン処理を実行する。そして、１〜５０枚目の原稿のスキャンデータと５１〜１００枚目の原稿のスキャンデータとが、１群のデータとして纏められる。これにより、ユーザは、１００枚の原稿のスキャンデータを、１群のデータとして取得できる。
【００２４】
以下に、スキャナ１０による継続スキャンの実行について説明する。まず、スキャナ１０のディスプレイ１６には、図３に示すスキャン処理選択画面１６０（第６画面の一例）が表示される。スキャン処理選択画面１６０には、Ｓｃａｎ  ｔｏ  ｍｅｄｉａボタン１６１とＳｃａｎ  ｔｏ  ＰＣボタン１６２とＳｃａｎ  ｔｏ  Ｅｍａｉｌボタン１６３とが表示されている。Ｓｃａｎ  ｔｏ  ｍｅｄｉａボタン１６１は、ＵＳＢホストＩ／Ｆ２７に接続されたＵＳＢメモリにスキャンデータを記憶させるためのボタンである。Ｓｃａｎ  ｔｏ  ＰＣボタン１６２は、ＰＣ４０にスキャンデータを送信するためのボタンである。Ｓｃａｎ  ｔｏ  Ｅｍａｉｌボタン１６３はスキャンデータを、インターネット３７を介してＥｍａｉｌ送信するためのボタンである。
【００２５】
スキャン処理選択画面１６０のＳｃａｎ  ｔｏ  ｍｅｄｉａボタン１６１が操作されると、図４に示す読取指示画面（本発明の第３画面の一例）１００ａが表示される。Ｓｃａｎ  ｔｏ  ＰＣボタン１６２、Ｓｃａｎ  ｔｏ  Ｅｍａｉｌボタン１６３が操作された場合も、選択されたスキャン処理に対応する読取指示画面１００ｂ、読取指示画面１００ｃが表示されるが、読取指示画面１００ａとほぼ同様のため、詳細は省略する。また、これらを特に区別する必要が無い場合は、単に読取指示画面１００と称する。読取指示画面１００には、変更ボタン１０２と設定値表示欄１０４とスタートボタン１０６とホームボタン１０８とが表示されている。変更ボタン１０２は、スキャン時の設定値を変更するためのボタンである。設定値表示欄１０４は、現在設定されている設定値を表示するための欄であり、変更ボタン１０２の操作により設定値が変更された場合は、変更された設定値が、設定値表示欄１０４に表示される。スタートボタン１０６は、スキャン処理を実行するためのボタンであり、スタートボタン１０６の操作により、スキャン処理が開始する。つまり、給紙トレイ５０にセットされている原稿が、ＡＤＦ２２により搬送され、イメージセンサ２０による読み取りが開始する。ホームボタン１０８は、スキャン処理選択画面１６０へ戻るためのボタンである。
【００２６】
スキャン処理が開始すると、ディスプレイ１６に、図５に示す読取中画面（本発明の第１画面の一例）１１０が表示される。読取中画面１１０は、給紙トレイ５０にセットされている原稿がスキャンされている際に表示される画面であり、読取中画面１１０には、コメント欄１１２とＹＥＳボタン１１４とＮＯボタン１１６とが表示されている。コメント欄１１２には、継続スキャンを実行するか否かを問うコメントが表示されている。ＹＥＳボタン１１４は、継続スキャンを実行するためのボタンであり、ＮＯボタン１１６は、継続スキャンを実行せず、給紙トレイ５０にセットされている原稿のスキャン処理のみを行うためのボタンである。つまり、ユーザは、給紙トレイ５０にセットされている原稿のスキャンデータと他の原稿のスキャンデータとを１群のデータとして得たい場合には、ＹＥＳボタン１１４を操作し、給紙トレイ５０にセットされている原稿のスキャンデータのみを１群のデータとして得たい場合には、ＮＯボタン１１６を操作する。このように、スキャナ１０では、継続スキャンの実行の有無を入力するための画面が、スキャン処理の開始前ではなく、スキャン処理の実行中にディスプレイ１６に表示される。これにより、ユーザは、素早くスキャン処理を実行するとともに、スキャン処理の待ち時間を利用して、継続スキャンの有無を入力することが可能となる。
【００２７】
スキャン処理選択画面１６０において、Ｓｃａｎ  ｔｏ  ｍｅｄｉａボタン１６１選択されていた場合に、読取中画面１１０においてＹＥＳボタン１１４が操作されると、図６に示す設定画面（本発明の第５画面の一例）１２０ａが表示される。スキャン処理選択画面１６０においてＳｃａｎ  ｔｏ  ＰＣボタン１６２、Ｓｃａｎ  ｔｏ  Ｅｍａｉｌボタン１６３が操作された場合は、選択されたスキャン処理に対応する設定画面１２０ｂ、設定画面１２０ｃが表示されるが、設定画面１２０ａとほぼ同様のため、詳細は省略する。また、これらを特に区別する必要が無い場合は、単に設定画面１２０と称する。設定画面１２０は、継続スキャンの設定値を変更するための画面であり、設定画面１２０には、変更ボタン１２２と設定値表示欄１２４とＯＫボタン１２６とが表示されている。変更ボタン１２２と設定値表示欄１２４とは、読取指示画面１００の変更ボタン１０２と設定値表示欄１０４と同じである。なお、変更ボタン１２２の操作により設定値が変更されていない際の設定値表示欄１２４には、実行中のスキャン処理、つまり、給紙トレイ５０にセットされている原稿のスキャン処理の設定値が表示されている。このため、設定画面１２０において、変更ボタン１２２が操作されることなく、ＯＫボタン１２６が操作された場合には、継続スキャン処理は、実行中のスキャン処理、つまり、給紙トレイ５０にセットされている原稿のスキャン処理と同じ設定値に従って実行される。一方、設定画面１２０において、変更ボタン１２２が操作され、設定値が変更された後に、ＯＫボタン１２６が操作された場合には、継続スキャン処理は、変更された設定値に従って実行される。
【００２８】
設定画面１２０においてＯＫボタン１２６が操作されると、ＣＰＵ１２によって、給紙トレイ５０にセットされている原稿のスキャン処理が全て、完了したか否かが判定される。この判定は、第１シートセンサ２４と第２シートセンサ２６との検出値に基づいて行われる。詳しくは、第１シートセンサ２４によって給紙トレイ５０に原稿がセットされているか否かが判定され、給紙トレイ５０に原稿がセットされていないと判定された後に、搬送経路５２から排出トレイ６０に原稿が排出されたか否かが判定される。第２シートセンサ２６は、搬送経路５２を搬送されている原稿を検出するため、第２シートセンサ２６によって原稿が検出された後に、所定時間経過すると、スキャンされた原稿が排出トレイ６０に排出される。このため、第２シートセンサ２６の検出値に基づいて、原稿が搬送経路５２から排出トレイ６０に排出されたか否かが判定され、原稿が搬送経路５２から排出トレイ６０に排出されたタイミングで、給紙トレイ５０にセットされている原稿のスキャン処理が全て完了したと判定される。
【００２９】
そして、ＯＫボタン１２６が操作された際に、給紙トレイ５０にセットされている原稿のスキャン処理が全て完了していると判定された場合には、ディスプレイ１６に図７に示す原稿載置画面１３０が表示される。原稿載置画面１３０には、コメント欄１３２が表示され、そのコメント欄１３２に、給紙トレイ５０への原稿のセットを促すコメントが表示される。これにより、ユーザは、コメントの指示に従って、継続スキャンの対象となる新たな原稿を、給紙トレイ５０にセットする。
【００３０】
ただし、スキャン処理実行中、つまり、ＡＤＦ２２により原稿が搬送されている際、イメージセンサ２０により原稿が読み取られている際に、給紙トレイ５０に新たな原稿がセットされると、原稿を適切に搬送できずに、搬送中の原稿が詰まったり、原稿の読取を適切に行うことができない虞がある。このため、スキャナ１０では、設定画面１２０のＯＫボタン１２６が操作された際に、給紙トレイ５０にセットされている原稿のスキャン処理が全て完了していないと判定された場合には、ディスプレイ１６に図８に示す警告画面（本発明の第４画面の一例）１４０が表示される。警告画面１４０には、コメント欄１４２とキャンセルボタン１４４とが表示される。コメント欄１４２には、スキャン中の給紙トレイ５０への新たな原稿のセットを禁止する旨のコメントが表示される。これにより、スキャン中の給紙トレイ５０への新たな原稿のセットが防止され、適切なスキャン処理を担保することが可能となる。
【００３１】
また、キャンセルボタン１４４は、継続スキャンをキャンセルするボタンであり、キャンセルボタン１４４が操作されると、継続スキャンがキャンセルされ、ディスプレイ１６に読取中画面１１０が表示される。なお、警告画面１４０は、スキャン処理実行中に表示される画面であるため、スキャン処理が完了した際、つまり、第１シートセンサ２４と第２シートセンサ２６との検出値に基づいて、給紙トレイ５０にセットされている原稿のスキャン処理が全て完了したと判定された際に、図７に示す原稿載置画面１３０がディスプレイ１６に表示される。
【００３２】
次に、原稿載置画面１３０のコメントに従って、給紙トレイ５０に新たな原稿がセットされると、図９に示す継続読取指示画面（本発明の第２画面の一例）１５０がディスプレイ１６に表示される。なお、給紙トレイ５０への原稿のセットの有無は、第１シートセンサ２４の検出値に基づいて判定される。継続読取指示画面１５０には、ＹＥＳボタン１５２とＮＯボタン１５４とが表示されている。ＹＥＳボタン１５２は、継続スキャンを実行するためのボタンであり、ＹＥＳボタン１５２の操作により、継続スキャン処理が開始する。つまり、給紙トレイ５０に新たにセットされた原稿が、ＡＤＦ２２により搬送され、イメージセンサ２０による読み取りが開始する。また、ＮＯボタン１５４は、継続スキャンをキャンセルするボタンであり、ＮＯボタン１５４が操作されると、継続スキャンがキャンセルされ、ディスプレイ１６に読取指示画面１００が表示される。
【００３３】
なお、継続スキャン処理が開始すると、図５に示す読取中画面１１０がディスプレイ１６に表示される。つまり、給紙トレイ５０に新たにセットした原稿の後に、更に継続スキャン処理を実行することが可能であり、更に継続スキャン処理を実行する際には、読取中画面１１０のＹＥＳボタン１１４が操作される。これにより、上述したように、設定画面１２０等がディスプレイ１６に表示され、以降の処理が継続して実行される。
【００３４】
また、最初に給紙トレイ５０にセットした原稿のスキャン処理のみを行いたい場合、若しくは、継続スキャン処理が実行されている際に、給紙トレイ５０に新たにセットした原稿の後に、更なる継続スキャン処理の実行を望まない場合には、読取中画面１１０においてＮＯボタン１１６が操作される。読取中画面１１０においてＮＯボタン１１６が操作されると、直ぐに、図４に示す読取指示画面１００がディスプレイ１６に表示される。これにより、新たなスキャン処理、つまり、先に実行されたスキャン処理により生成されたスキャンデータと区分けした状態で、新たなスキャンデータを生成することが可能となる。上記説明では、読取中画面１１０においてＮＯボタン１１６が操作された場合、及び継続読取指示画面１５０においてＮＯボタン１５４が操作された場合は、Ｓｃａｎ  ｔｏ  ｍｅｄｉａに対応する読取指示画面１００ａが表示されている。ただし、もっとも最近に開始された読取処理が、Ｓｃａｎ  ｔｏ  ＰＣ、又はＳｃａｎ  ｔｏ  Ｅｍａｉｌである場合は、最近に開始された読取処理に対応する読取指示画面１００ｂ、読取指示画面１００ｃが表示される。また、読取指示画面１００に表示されるスタートボタン１０６は、先行するスキャン処理が完了するまでグレーアウトされており、ユーザ操作を受け付けない。
【００３５】
また、スキャナ１０では、読取中画面１１０においてＹＥＳボタン１１４とＮＯボタン１１６との何れのボタンも操作されない状態で、給紙トレイ５０にセットされている原稿のスキャン処理が全て完了した場合にも、図４に示す読取指示画面１００がディスプレイ１６に表示される。これにより、例えば、継続スキャンを実行する意思のないユーザが、敢えてＮＯボタン１１６を操作しなくても、ディスプレイ１６に読取指示画面１００を表示させることが可能となる。つまり、読取中画面１１０に対する操作を行うことなく、表示画面をスキャン時の初期画面に戻すことが可能となる。
【００３６】
ただし、給紙トレイ５０にセットされた枚数が少ない場合，設定解像度が低い等によりスキャナ１０によるスキャン処理が高速である場合等には、給紙トレイ５０にセットされている全ての原稿のスキャン処理が完了するまでの時間が、短い場合がある。このような場合には、読取中画面１１０がディスプレイ１６に表示される時間が短くなり、ユーザが読取中画面１１０における操作を適切に行うことができなくなる虞がある。このため、スキャナ１０では、読取中画面１１０においてＹＥＳボタン１１４とＮＯボタン１１６との何れのボタンも操作されない状態で、給紙トレイ５０にセットされている原稿のスキャン処理が全て完了した場合であっても、読取中画面１１０の表示時間が設定時間を経過していない場合には、読取中画面１１０の代わりに読取指示画面１００が、ディスプレイ１６に表示されない。つまり、読取中画面１１０においてＹＥＳボタン１１４とＮＯボタン１１６との何れのボタンも操作されない状態で、給紙トレイ５０にセットされている原稿のスキャン処理が全て完了した場合には、読取中画面１１０の表示時間が設定時間を経過したことを条件として、読取中画面１１０の代わりに読取指示画面１００が、ディスプレイ１６に表示される。
【００３７】
詳しくは、ディスプレイ１６に読取中画面１１０が表示されたタイミングで、読取中画面１１０の表示時間の計測がスタートする。そして、読取中画面１１０においてＹＥＳボタン１１４とＮＯボタン１１６との何れのボタンも操作されない状態で、給紙トレイ５０にセットされている原稿のスキャン処理が全て完了した場合に、読取中画面１１０の表示時間が設定時間を経過したか否かが、ＣＰＵ１２によって判断される。この際、読取中画面１１０の表示時間が設定時間を経過している場合には、読取中画面１１０の代わりに読取指示画面１００が、ディスプレイ１６に表示される。一方、読取中画面１１０の表示時間が設定時間を経過していない場合には、読取中画面１１０の表示時間が設定時間を経過する迄、読取中画面１１０がディスプレイ１６に表示され、読取中画面１１０の表示時間が設定時間を経過した後に、読取指示画面１００がディスプレイ１６に表示される。これにより、ユーザが、余裕をもって読取中画面１１０における操作を行うことが可能となる。
【００３８】
＜制御プログラム＞
上述したスキャン処理は、スキャナ１０のＣＰＵ１２において制御プログラム３３が実行されることによって行われる。以下に、図１０乃至図１２を用いて、スキャナ１０のＣＰＵ１２で制御プログラム３３が実行される際のフローを説明する。このフローは、図示しない電源ボタンにより、スキャナ１０が起動されると開始され、開始された後は、電源ボタンにより終了されるまで実行される。
【００３９】
制御プログラム３３が実行されると、まず、図１０に示すように、スキャン処理選択画面１６０が表示される（ステップ（以下、「Ｓ」と略す）９０）。次に、スキャン処理選択画面１６０において、Ｓｃａｎ  ｔｏ  ｍｅｄｉａボタン１６１とＳｃａｎ  ｔｏ  ＰＣボタン１６２とＳｃａｎ  ｔｏ  Ｅｍａｉｌボタン１６３のうち、いずれかが操作されたかがＣＰＵ１２によって判断され（Ｓ９２）、操作されている場合（Ｓ９２のＹＥＳ）には、Ｓ１００へ進む。一方、操作されていない場合（Ｓ９２のＮＯ）には、Ｓ９２へ戻り判断を繰り返す。Ｓ１００では、スキャン処理選択画面１６０において操作されたボタンが示すスキャン処理に対応する読取指示画面１００がディスプレイ１６に表示される。次に、読取指示画面１００のホームボタン１０８が操作されたか否かが、ＣＰＵ１２によって判断される（Ｓ１０１）。ホームボタン１０８が操作された場合（Ｓ１０１のＹＥＳ）には、Ｓ９０へ戻る。一方、ホームボタン１０８が操作されていない場合（Ｓ１０１のＮＯ）には、Ｓ１０２へ進む。Ｓ１０２では、スタートボタン１０６が操作されたか否かが、ＣＰＵ１２によって判断される（Ｓ１０２）。スタートボタン１０６が操作されていない場合（Ｓ１０２のＮＯ）には、Ｓ１０１へ戻る。一方、スタートボタン１０６が操作されている場合（Ｓ１０２のＹＥＳ）には、スキャン処理が開始される（Ｓ１０４）。
【００４０】
続いて、読取中画面１１０がディスプレイ１６に表示される（Ｓ１０６）。なお、読取中画面１１０がディスプレイ１６に表示されると、読取中画面１１０の表示時間の計測が開始する。そして、読取中画面１１０のＹＥＳボタン１１４が操作されたか否かが、ＣＰＵ１２によって判断される（Ｓ１０８）。ＹＥＳボタン１１４が操作されている場合（Ｓ１０８のＹＥＳ）には、設定画面１２０がディスプレイ１６に表示される（Ｓ１１０）。次に、設定値を変更する旨の信号を受信したか否かが、ＣＰＵ１２によって判断される（Ｓ１１２）。つまり、設定画面１２０において変更ボタン１２２の操作により設定値が変更されたか否かが、ＣＰＵ１２によって判断される。
【００４１】
設定画面１２０において設定値が変更された場合（Ｓ１１２のＹＥＳ）には、受信した設定値、つまり、変更された設定値に変更される（Ｓ１１４）。そして、Ｓ１１６に進む。一方、設定画面１２０において設定値が変更されていな場合（Ｓ１１２のＮＯ）には、Ｓ１１４の処理がスキップされ、Ｓ１１６に進む。
【００４２】
Ｓ１１６では、設定画面１２０のＯＫボタン１２６が操作されたか否かが、ＣＰＵ１２によって判断される（Ｓ１１６）。ＯＫボタン１２６が操作されていない場合（Ｓ１１６のＮＯ）には、Ｓ１１２に戻る。一方、ＯＫボタン１２６が操作されている場合（Ｓ１１６のＹＥＳ）には、スキャン処理が完了したか否かが、ＣＰＵ１２によって判断される（Ｓ１１８）。スキャン処理が完了していない場合（Ｓ１１８のＮＯ）には、警告画面１４０がディスプレイ１６に表示される（Ｓ１２０）。
【００４３】
続いて、スキャン処理が完了したか否かが、ＣＰＵ１２によって判断される（Ｓ１２２）。スキャン処理が完了していない場合（Ｓ１２２のＮＯ）には、Ｓ１２２の処理が繰り返される。一方、スキャン処理が完了している場合（Ｓ１２２のＹＥＳ）には、Ｓ１２４に進む。また、Ｓ１１８でスキャン処理が完了している場合（Ｓ１２２のＹＥＳ）には、Ｓ１２０、Ｓ１２２の処理がスキップされ、Ｓ１２４に進む。
【００４４】
Ｓ１２４では、原稿載置画面１３０がディスプレイ１６に表示される（Ｓ１２４）。そして、給紙トレイ５０に原稿がセットされているか否かが、ＣＰＵ１２によって判断される（Ｓ１２６）。給紙トレイ５０に原稿がセットされていない場合（Ｓ１２６のＮＯ）には、Ｓ１２６の処理が繰り返される。一方、給紙トレイ５０に原稿がセットされている場合（Ｓ１２６のＹＥＳ）には、継続読取指示画面１５０がディスプレイ１６に表示される（Ｓ１２８）。
【００４５】
続いて、継続読取指示画面１５０のＹＥＳボタン１５２が操作されたか、ＮＯボタン１５４が操作されたかが、ＣＰＵ１２によって判断される（Ｓ１３０）。ＹＥＳボタン１５２が操作されている場合（Ｓ１３０のＹＥＳ）には、Ｓ１０４に戻る。一方、ＮＯボタン１５４が操作されている場合（Ｓ１３０のＮＯ）には、スキャン処理が完了次第、Ｓ９２で選択されたスキャン処理に応じた出力先へスキャンデータを出力する。そして、Ｓ１００へ戻る。
【００４６】
また、Ｓ１０８で読取中画面１１０のＹＥＳボタン１１４が操作されていない場合（Ｓ１０８のＮＯ）には、読取中画面１１０のＮＯボタン１１６が操作されたか否かが、ＣＰＵ１２によって判断される（Ｓ１３４）。ＮＯボタン１１６が操作されている場合（Ｓ１３４のＹＥＳ）には、Ｓ１３２以降の処理が実行される。一方、ＮＯボタン１１６が操作されていない場合（Ｓ１３４のＮＯ）には、スキャン処理が完了したか否かが、ＣＰＵ１２によって判断される（Ｓ１３６）。
【００４７】
スキャン処理が完了している場合（Ｓ１３６のＹＥＳ）には、読取中画面１１０の表示時間が設定時間を経過しているか否かが、ＣＰＵ１２によって判断される（Ｓ１３８）。読取中画面１１０の表示時間が設定時間を経過している場合（Ｓ１３８のＹＥＳ）には、Ｓ１３２以降の処理が実行される。一方、読取中画面１１０の表示時間が設定時間を経過していない場合（Ｓ１３８のＮＯ）には、Ｓ１０８に戻る。また、Ｓ１３６でスキャン処理が完了していない場合（Ｓ１３６のＮＯ）には、Ｓ１３８の処理がスキップされ、Ｓ１０８に戻る。
【００４８】
なお、Ｓ１００を実行するＣＰＵ１２は、第３表示制御手段の一例である。Ｓ１０４を実行するＣＰＵ１２は、実行手段の一例である。Ｓ１０６を実行するＣＰＵ１２は、第１表示制御手段の一例である。Ｓ１０８、Ｓ１３４を実行するＣＰＵ１２は、第１判断手段の一例である。Ｓ１１０を実行するＣＰＵ１２は、第５表示制御手段の一例である。Ｓ１１２を実行するＣＰＵ１２は、受信手段の一例である。Ｓ１１８、Ｓ１２２、Ｓ１３６を実行するＣＰＵ１２は、第３判断手段の一例である。Ｓ１２０を実行するＣＰＵ１２は、第４表示制御手段の一例である。Ｓ１２８を実行するＣＰＵ１２は、第２表示制御手段の一例である。Ｓ１３８を実行するＣＰＵ１２は、第２判断手段の一例である。
【００４９】
＜第２実施形態＞
第１実施形態では、読取中画面１１０において、ＮＯボタン１１６が操作されると、直ぐに、読取指示画面１００がディスプレイ１６に表示されるが、第２実施形態のスキャナ１０では、ＮＯボタン１１６が操作されて、直ぐに、読取指示画面１００は表示されず、スキャン処理が完了した後に、読取指示画面１００がディスプレイ１６に表示される。
【００５０】
詳しくは、第２実施形態のスキャナ１０では、読取中画面１１０において、ＮＯボタン１１６が操作された場合には、給紙トレイ５０にセットされた全ての原稿のスキャン処理が完了しているか否かが判定される。この際、給紙トレイ５０にセットされた全ての原稿のスキャン処理が完了していないと判定された場合には、読取中画面１１０が継続してディスプレイ１６に表示される。そして、給紙トレイ５０にセットされた全ての原稿のスキャン処理が完了した後に、読取中画面１１０の代わりに、読取指示画面１００がディスプレイ１６に表示される。つまり、ＮＯボタン１１６が操作された場合には、スキャン処理が完了するまで、読取中画面１１０が表示される。これにより、ユーザは、表示画面により、スキャン処理が継続していることを認知することが可能となる。
【００５１】
なお、ＮＯボタン１１６が操作され、スキャン処理が完了していないと判定されたことによって、ディスプレイ１６に読取中画面１１０が表示されている際に、ＹＥＳボタン１１４が操作された場合には、ＮＯボタン１１６の操作が取り消され、ＹＥＳボタン１１４の操作に従った処理が実行される。これにより、ボタンの押し間違い等に対応することが可能となる。
【００５２】
第２実施形態のスキャナ１０でのスキャン処理は、ＣＰＵ１２において制御プログラム３３が実行されることによって行われる。以下に、図１３を用いて、第２実施形態のスキャナ１０のＣＰＵ１２で制御プログラム３３が実行される際のフローを説明する。ただし、本フローは、第１実施形態のフローと共通する箇所が多いため、共通する箇所に関しては、簡略に説明する。また、第１実施形態のフローでのＳ１００〜Ｓ１２４の処理は、第２実施形態のフローでの処理と全く同じであるため、図示を省略する。
【００５３】
第２実施形態のスキャナ１０において、制御プログラム３３が実行されると、図１０及び図１１に示すＳ９０〜Ｓ１２４の処理が実行される。そして、Ｓ１２４の処理が終了すると、図１３に示すように、Ｓ２００〜Ｓ２０６の処理が実行されるが、Ｓ２００〜Ｓ２０６の処理は、図１２のＳ１２６〜Ｓ１３２の処理と同じであるため、説明を省略する。
【００５４】
また、図１０のＳ１０８で読取中画面１１０のＹＥＳボタン１１４が操作されていない場合（Ｓ１０８のＮＯ）には、図１３に示すように、読取中画面１１０のＮＯボタン１１６が操作されたか否かが、ＣＰＵ１２によって判断される（Ｓ２０８）。ＮＯボタン１１６が操作されている場合（Ｓ２０８のＹＥＳ）には、スキャン処理が完了したか否かが、ＣＰＵ１２によって判断される（Ｓ２１０）。スキャン処理が完了している場合（Ｓ２１０のＹＥＳ）には、Ｓ２０６以降の処理が実行される。一方、スキャン処理が完了していない場合（Ｓ２１０のＮＯ）には、図１０のＳ１０８に戻る。
【００５５】
また、Ｓ２０８でＮＯボタン１１６が操作されていない場合（Ｓ２０８のＮＯ）には、Ｓ２１２以降の処理が実行されるが、Ｓ２１２以降の処理は、図１２のＳ１３６以降の処理と同じであるため、説明を省略する。
【００５６】
なお、本発明は、上記実施形態に限定されるものではなく、当業者の知識に基づいて種々の変更、改良を施した種々の態様で実施することが可能である。具体的には、例えば、上記実施形態では、搬送経路５２の途中に配設されている第２シートセンサ２６により、原稿が排出トレイ６０に排出されたか否かが判定されているが、排出トレイ６０にシートセンサを配設し、そのシートセンサの検出値に基づいて、原稿が排出トレイ６０に排出されたか否かを判定することが可能である。
【００５７】
第１実施形態のＳ１３２、第２実施形態のＳ２０６において、スキャンデータを出力した後、Ｓ１００に戻り読取指示画面１００を表示することに代えて、Ｓ９０へ戻りスキャン処理選択画面１６０（第６画面の一例）を表示する構成としてもよい。
【００５８】
また、上記実施形態では、ＣＰＵ１２によって図１０乃至図１３に示す処理が実行される例を説明したが、これら処理は、ＣＰＵ１２に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００５９】
１０  スキャナ（画像読取装置）
１２：ＣＰＵ（コンピュータ）（制御部）
１６：ディスプレイ（表示部）
１８：入力Ｉ／Ｆ（入力部）
２０  イメージセンサ（読取部）
２２  ＡＤＦ（搬送機構）
３０：制御プログラム
５０  給紙トレイ（載置部）
６０  排出トレイ（排出部）
【図１】
0006451356.tif 000002
【図２】
0006451356.tif 000003
【図３】
0006451356.tif 000004
【図４】
0006451356.tif 000005
【図５】
0006451356.tif 000006
【図６】
0006451356.tif 000007
【図７】
0006451356.tif 000008
【図８】
0006451356.tif 000009
【図９】
0006451356.tif 000010
【図１０】
0006451356.tif 000011
【図１１】
0006451356.tif 000012
【図１２】
0006451356.tif 000013
【図１３】
0006451356.tif 000014